(57)【要約】【課題】  安価に回路を固定できる。【解決手段】  テレビは、放送信号を受信して映像表示用信号に変換する回路が設けられる基板２０を備える。基板２０は、弓形に凹んだ形状の切欠部が縁部に設けられている。テレビは、映像表示用信号に対応する映像を表示するブラウン管３０と、基板２０およびブラウン管３０が固定される筐体１０とをさらに備える。筐体１０は、少なくとも一部が切欠部と対応する形状の凸部が設けられた溝部を有する。基板２０は、筐体１０の溝部に、凸部および切欠部が相対するように、縁部を嵌込むことにより固定される。【選択図】        図１５
2006217273.tif 000002
【特許請求の範囲】
【請求項１】
放送信号を受信して映像表示用信号に変換する回路が設けられる基板を備え、
前記基板は、弓形に凹んだ形状の切欠部が前記基板の縁部に設けられ、
前記映像表示用信号に対応する映像を表示する表示装置と、
前記基板および前記表示装置が固定される筐体とをさらに備え、
前記筐体は、少なくとも一部が前記切欠部と対応する形状の凸部が設けられた溝部を有し、
前記基板は、前記筐体の溝部に、前記凸部および切欠部が相対するように、前記縁部を嵌込むことにより固定される、受像装置。
【請求項２】
放送信号を受信して映像表示用信号に変換する回路が設けられる基板を備え、
前記基板は、凹型形状の切欠部が前記基板の縁部に設けられ、
前記映像表示用信号に対応する映像を表示する表示装置と、
前記基板および前記表示装置が固定される筐体とをさらに備え、
前記筐体は、少なくとも一部が前記切欠部と対応する形状の凸部が設けられた溝部を有し、
前記基板は、前記筐体の溝部に、前記凸部および切欠部が相対するように、前記縁部を嵌込むことにより固定される、受像装置。
【請求項３】
前記凹型形状は、前記縁部から離れるにつれ幅が狭くなる凹型形状を含む、請求項２に記載の受像装置。
【請求項４】
前記縁部から離れるにつれ幅が狭くなる凹型形状は、弓形に凹んだ形状を含む、請求項３に記載の受像装置。
【発明の詳細な説明】
【技術分野】
【０００１】
本発明は、受像装置に関し、特に、印刷回路を用いる受像装置に関する。
【背景技術】
【０００２】
特許文献１は、プリント基板の一方の縁部が回転できるように嵌められる嵌合部と、プリント基板の他方の縁部が係合されるフック部とを有するシャーシを備え、フック部にはリブが設けられ、シャーシに取付けられたカバーにリブが当たることによりフック部からプリント基板が外れる方向へのフック部のたわみを阻止するようにしたものにおいて、シャーシに位置決めボスを設けたことを特徴とするプリント基板の取付装置が開示されている。この発明によると、湾曲するほどの大きな衝撃が加わってもプリント基板が外れない、プリント基板の取付装置を提供することができる。
【０００３】
特許文献２には、設置パターンが形成されたプリント基板とこのプリント基板をスライドできるように支持する支持部を有する本体ケースとを設け、支持部に案内される本体ケースに形成された基板支持体と、この基板支持体にプリント基板を押付けるばねと、設置体と、その設置体と設置パターンとが接触する位置でプリント基板を固定する固定部とを設けたことを特徴とするプリント基板の取付装置を開示する。この発明によると、プリント基板の着脱を容易かつ迅速に行なうことができる。
【特許文献１】実開平７−３６４９１号公報
【特許文献２】特開平５−２７５８７２号公報
【発明の開示】
【発明が解決しようとする課題】
【０００４】
しかしながら、特許文献１および特許文献２に開示された発明には、コストが増加するという問題点がある。パーソナルコンピュータなどに用いられるスロットの場合、基板を差込むと、スロットの奥にソケットが設けられている。これにより基板の動きを抑えることができる。一方受像装置（テレビなど）の筐体と一体化したスロットの場合、そのようなソケットを設けることはコストの増加（ひいては商品の価格の増加）につながる。また、基板の動きが問題になるのは、製造時や修理時に限られる。このため、受像装置（テレビなど）の筐体と一体化したスロットの場合、基板の動きを固定することは、経済的に困難である。
【０００５】
本発明は上述の問題点を解決するためになされたものであって、その目的は、安価に回路を固定できる受像装置を提供することにある。
【課題を解決するための手段】
【０００６】
上記目的を達成するために、本発明のある局面にしたがうと、受像装置は、放送信号を受信して映像表示用信号に変換する回路が設けられる基板を備える。基板は、弓形に凹んだ形状の切欠部が基板の縁部に設けられている。受像装置は、映像表示用信号に対応する映像を表示する表示装置と、基板および表示装置が固定される筐体とをさらに備える。筐体は、少なくとも一部が切欠部と対応する形状の凸部が設けられた溝部を有する。基板は、筐体の溝部に、凸部および切欠部が相対するように、縁部を嵌込むことにより固定される。
【０００７】
すなわち、基板は、筐体の溝部に、凸部および切欠部が相対するように、縁部を嵌込むことにより固定される。基板の縁部には、切欠部が設けられている。切欠部の形状は、弓形に凹んだ形状を含む。これにより、回路をより容易かつ安価に固定できる。その結果、より容易かつ安価に回路を固定できる受像装置を提供することができる。
【０００８】
本発明の他の局面にしたがうと、受像装置は、放送信号を受信して映像表示用信号に変換する回路が設けられる基板を備える。基板は、凹型形状の切欠部が基板の縁部に設けられる。受像装置は、映像表示用信号に対応する映像を表示する表示装置と、基板および表示装置が固定される筐体とをさらに備える。筐体は、少なくとも一部が切欠部と対応する形状の凸部が設けられた溝部を有する。基板は、筐体の溝部に、凸部および切欠部が相対するように、縁部を嵌込むことにより固定される。
【０００９】
すなわち、基板は、筐体の溝部に、凸部および切欠部が相対するように、縁部を嵌込むことにより固定される。これにより、回路を安価に固定できる。その結果、安価に回路を固定できる受像装置を提供することができる。
【００１０】
また、上述の凹型形状は、縁部から離れるにつれ幅が狭くなる凹型形状を含むことが望ましい。
【００１１】
すなわち、基板は、筐体の溝部に、凸部および切欠部が相対するように、縁部を嵌込むことにより固定される。基板の縁部には、凹型形状の切欠部が設けられている。凹型形状は、縁部から離れるにつれ幅が狭くなる凹型形状を含む。これにより、回路を容易かつ安価に固定できる。その結果、容易かつ安価に回路を固定できる受像装置を提供することができる。
【００１２】
また、上述の縁部から離れるにつれ幅が狭くなる凹型形状は、弓形に凹んだ形状を含むことが望ましい。
【００１３】
すなわち、基板は、筐体の溝部に、凸部および切欠部が相対するように、縁部を嵌込むことにより固定される。基板の縁部には、切欠部が設けられている。切欠部の形状は、弓形に凹んだ形状を含む。これにより、回路をより容易かつ安価に固定できる。その結果、より容易かつ安価に回路を固定できる受像装置を提供することができる。
【発明の効果】
【００１４】
本発明に係る受像装置は、安価に回路を固定できる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１は、本実施の形態に係る筐体１０の斜視図である。図２は、本実施の形態に係る筐体１０の平面図である。図３は、本実施の形態に係る筐体１０の背面の一部を表わす図である。図１〜図３を参照して、テレビ（すなわち受像装置）の筐体１０は、基板支え１４と、溝部１６とを含む。基板支え１４は、後述する基板２０が撓まないように支える。溝部１６は、基板２０を固定する。本実施の形態の場合、筐体１０は、ネジ止めにより、後述するブラウン管３０を固定するものでもある。溝部１６には、少なくとも一部が切欠部２４と対応する形状の凸部１８が設けられている。図１〜図３において、凸部１８は、基板２０を固定する。凸部１８の幅や高さの最適値は、筐体１０の機械的性質により異なる。筐体１０の材質が樹脂の場合、凸部１８の高さは、１．５ｍｍ〜２．０ｍｍの範囲内にあることが望ましい。筐体１０の材質が樹脂の場合、凸部１８の幅は、５ｍｍ〜１０ｍｍの範囲内にあることが望ましい。凸部１８の幅や高さがこれらの範囲に含まれない場合、凸部１８が磨耗したり、基板２０の抜取りが困難化したりする。本実施の形態の場合、凸部１８の幅が７ｍｍで、凸部１８の高さは１．５ｍｍであることとする。凸部１８の配置は、後述する方法により基板２０が抜取り得る範囲内で、なるべく基板２０の抜取口から離れた位置に配置する。凸部１８が抜取口の傍にあると、基板２０の抜差しの際、邪魔となるからである。
【００１７】
本実施の形態に係る筐体１０は、射出成形により形成される。筐体１０を形成するための金型は、分割可能な金型とする。分割できない金型では、凸部１８を形成することが困難になるためである。図４は、筐体１０の底部における金型の分割の一例を表わす図である。図４において、二点鎖線で囲まれた領域が、他の部分を形成する金型から分割されるべき金型の配置を表わす。
【００１８】
図５を参照して、本実施の形態に係る基板２０には、放送信号を受信して映像表示用信号に変換する回路が設けられる。基板２０には、凹型形状の切欠部２４が縁部２２に設けられる。本実施の形態における切欠部２４は、弓形に凹んだ形状を含む。本実施の形態において、開口の幅と切欠部２４の深さとの比は、１．５対１となる。
【００１９】
図６に、本実施の形態に係るブラウン管３０を示す。図７に、本実施の形態に係るスピーカ４０を示す。ブラウン管３０は、上述した映像表示用信号に対応する映像を表示する表示装置である。スピーカ４０は、音声用信号に対応する音声を出力する出力装置である。
【００２０】
図８は、本実施の形態に係るテレビの背面カバー５０を表わす図である。背面カバー５０は、基板２０、ブラウン管３０、スピーカ４０などが取付けられた筐体１０を、背面から覆う。背面カバー５０は、入力端子５２を含む。入力端子５２は、放送用の信号を受付ける。
【００２１】
図９を参照して、本実施の形態に係るテレビの組立は、以下のような手順を有する。
【００２２】
ステップ１００（以下、ステップをＳと略す）にて、作業者は、筐体１０の溝部１６に、凸部１８および切欠部２４が相対するように、縁部２２を嵌込むことにより、基板２０を固定する。Ｓ１０２にて、筐体１０にブラウン管３０を取付ける。Ｓ１０４にて、基板２０とブラウン管３０との間を配線する。Ｓ１０６にて、背面カバー５０にスピーカ４０を取付ける。Ｓ１０８にて、基板２０とスピーカ４０との間を配線する。基板２０と入力端子５２との間も配線する。配線が終了すると、スピーカ４０が取付けられた背面カバー５０を筐体１０に取付ける。
【００２３】
以上のような構造およびフローチャートに基づく、テレビの組立の手順について説明する。
【００２４】
作業者は、筐体１０の溝部１６に、凸部１８および切欠部２４が相対するように、縁部２２を嵌込むことにより、基板２０を固定する（Ｓ１００）。図１０は、基板２０がはめ込まれた筐体１０を表わす背面図である。このとき、基板２０の切欠部２４は、筐体１０の凸部１８にはめ込まれる。図１１は、基板２０がはめ込まれた状態の筐体１０の平面図である。基板２０の切欠部２４が筐体１０の凸部１８にはめ込まれている。
【００２５】
基板２０がはめ込まれると、作業者は、筐体１０にブラウン管３０を取付ける（Ｓ１０２）。図１２は、ブラウン管３０が取付けられた筐体１０の背面図である。ブラウン管３０が取付けられると、作業者は、基板２０とブラウン管３０とを配線する（Ｓ１０４）。図１３は、基板２０とブラウン管３０との間が配線された状況を表わす概念図である。本実施の形態の場合、基板２０とブラウン管３０との間の配線の長さは、これらを接続したまま基板２０が抜き差しできる程度に十分長いこととする。
【００２６】
配線が完了すると、作業者は、スピーカ４０を背面カバー５０に取付ける（Ｓ１０６）。図１４は、スピーカ４０が背面カバー５０に取付けられた状況を表わす図である。
【００２７】
スピーカ４０が取付けられると、作業者は、スピーカ４０と基板２０との間を配線する。基板２０と入力端子５２との間も配線する。配線が完了すると、作業者は、スピーカ４０が取付けられた背面カバー５０を筐体１０に取付ける（Ｓ１０８）。図１５は、背面カバー５０が取付けられたテレビを表わす概念図である。本実施の形態の場合、基板２０とスピーカ４０との間の配線は、これらの間が接続された状態で筐体１０と背面カバー５０とを十分引離すことができるほど長いこととする。
【００２８】
以上のようにして、本実施の形態に係るテレビは、溝に凸部が設けられるので、組立の際、筐体に基板をセットした後、多少の力が加わっても、セット位置から容易に動くことがなくなる。凸部がない場合のように、溝と基板との間の隙間が大きすぎると、多少の力が加わっただけで基板が前後に動いたり、溝と基板との間の隙間が小さすぎると、基板をスムーズに差込むことが困難であったりすることがなくなる。これにより、基板をセットした後に、基板の位置を手直しするための手間を省くことができる。また、本実施の形態に係るテレビは、修理の際、比較的容易に基板を抜取ることができる。図１６を参照して、基板を抜取る方法を説明する。まず、背面カバー５０を取外す。背面カバー５０が取外されると、作業者は、筐体１０の背面側の縁部２２（図１６において水平方向を向いた矢印）を指で押す。これにより、基板２０の出入口が少し広がる。出入口が少し広がると、作業者は、そのまま基板２０を筐体１０の背面側（図１６において斜め下を向いた矢印）側に引抜く。本実施の形態に係る筐体１０の凸部１８は、高さが１．５ｍｍ程度なので、基板２０をセットするときも引抜くときもある程度の力で無理なくを必要としない。一方基板２０がはめ込まれた状態では、凸部１８により、基板２０が固定されているので、基板２０はほとんど動かない。上述したように、筐体１０は射出成形により形成されるので、その製作コストはそれほど高くない。その結果、安価に印刷回路を固定でき、ひいては価格が安いテレビを提供することができる。
【００２９】
なお、凸部１８および切欠部２４の形状は、上述した形状に限定されない。たとえば、図１７に示すように、台形の切欠部２６であってもよい。また、図１８に示すように、山型の切欠部２８であってもよい。ただし、凸部１８および切欠部２４の形状は、上述した弓形、台形、山形のような、縁部２２から離れるにつれ幅が狭くなる凹型形状を含むことが望ましい。その他の凸部１８および切欠部２４の形状としては、長方形などがある。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３１】
【図１】本発明の実施の形態に係る筐体の斜視図である。
【図２】本発明の実施の形態に係る筐体の平面図である。
【図３】本発明の実施の形態に係る筐体の背面の一部を表わす図である。
【図４】本発明の実施の形態に係る金型の分割例を表わす図である。
【図５】本発明の実施の形態に係る基板の外形を表わす概念図である。
【図６】本発明の実施の形態に係るブラウン管の概念図である。
【図７】本発明の実施の形態に係るスピーカの概念図である。
【図８】本発明の実施の形態に係る背面カバーの概念図である。
【図９】本発明の実施の形態に係るテレビの製造の手順を示すフローチャートである。
【図１０】本発明の実施の形態に係る筐体に基板がはめ込まれた状況を表わす図である。
【図１１】本発明の実施の形態に係る筐体に基板がはめ込まれたときの筐体の平面図である。
【図１２】本発明の実施の形態に係る筐体にブラウン管が取付けられた状況を表わす図である。
【図１３】本発明の実施の形態に係る基板とブラウン管とが配線された状況を表わす図である。
【図１４】本発明の実施の形態に係る背面カバーにスピーカが取付けられた状況を表わす図である。
【図１５】本発明の実施の形態に係るテレビが組立てられた状態を表わす図である。
【図１６】本発明の実施の形態に係る基板の抜取り方法を表わす図である。
【図１７】本発明の実施の形態の変形例に係る基板の外形（その１）を表わす図である。
【図１８】本発明の実施の形態の変形例に係る基板の外形（その２）を表わす図である。
【符号の説明】
【００３２】
１０  筐体、１４  基板支え、１６  溝部、１８  凸部、２０  基板、２２  縁部、２４，２６，２８  切欠部、３０  ブラウン管、４０  スピーカ、５０  背面カバー、５２  入力端子。
【図１】
2006217273.tif 000003
【図２】
2006217273.tif 000004
【図３】
2006217273.tif 000005
【図４】
2006217273.tif 000006
【図５】
2006217273.tif 000007
【図６】
2006217273.tif 000008
【図７】
2006217273.tif 000009
【図８】
2006217273.tif 000010
【図９】
2006217273.tif 000011
【図１０】
2006217273.tif 000012
【図１１】
2006217273.tif 000013
【図１２】
2006217273.tif 000014
【図１３】
2006217273.tif 000015
【図１４】
2006217273.tif 000016
【図１５】
2006217273.tif 000017
【図１６】
2006217273.tif 000018
【図１７】
2006217273.tif 000019
【図１８】
2006217273.tif 000020